(57)【要約】      （修正有）【課題】釣針への着脱をワンタッチで安全に行うことができ、針先に付け餌の残渣などが付着しても、釣針へのカバー着脱時に指先が汚れにくい釣針カバーを提供する。【解決手段】カバー装着時、本体ケース１５、蓋体１６の隙間Ｓに３本の針１２を差し込み、その後、指先で蓋体をコイルばねのばね力に抗して本体閉位置まで押し込む。これにより、釣針の軸部１１の露出状態で、各針がカバー本体１４に収納される。釣針抜取り時には、指先で掛止手段（フック）による本体ケースと蓋体の掛止状態を解除すると、コイルばねのばね力で蓋体が本体開位置へスライドして隙間Ｓが現出し、釣針を抜き取る。釣針カバーの釣針への着脱をワンタッチで安全にでき、仮に針先に付け餌が付着しても操作中に指先が汚れにくい。【選択図】図２
0003222634.tif 000002
【実用新案登録請求の範囲】
【請求項１】
鉤状の複数の針を有した釣針に着脱自在に装着される釣針カバーにおいて、
前記釣針カバーは、釣針の軸部を露出した状態で、前記複数の針を収納するカバー本体を有し、
該カバー本体は、該カバー本体を２分割した第１の分割本体と第２の分割本体とからなり、
前記カバー本体には、
前記第２の分割本体を、前記第１の分割本体と前記第２の分割本体とが閉口状態で合致する本体閉位置と、前記第１の分割本体と前記第２の分割本体とのあいだに、前記複数の針を抜き差しする隙間が現出する本体開位置との間で、往復スライドさせるためのスライド構造体と、
前記第２の分割本体を常に前記本体開位置の方向へ付勢する弾性部材と、
該弾性部材の弾性力に抗して前記本体閉位置に達した前記第２の分割本体を、前記第１の分割本体にワンタッチで掛止または掛止解除する掛止手段とが配設された釣針カバー。
【請求項２】
前記釣針は、前記軸部を中心にして、３本の前記針が１２０°ピッチで放射状に配されたトリプルフックで、
前記第１の分割本体と前記第２の分割本体とは、前記カバー本体を縦に２分割したもので、
前記第１の分割本体は、上板の中央部に、この第１の分割本体の開口縁と連通する前記軸部の挿通口が形成されて、前記３本の針を個別に収納する３つのポケット部が、平面視して前記挿通口を中心として１２０°ピッチで放射状に配され、
前記３つのポケット部のうち、２つの該ポケット部は、前記第１の分割本体の開口部分に、前記軸部の挿通口を中間にして対配置されるとともに、残った前記ポケット部と連通する１本の針抜き差しスリットが、前記上板の挿通口と連通して形成され、
前記第２の分割本体は、前記２つのポケット部の外側の形成板を構成する蓋体で、
前記スライド構造体は、前記第１の分割本体に形成されて、前記カバー本体の分割方向へ延びるスライド溝と、前記第２の分割本体に形成されたスライド突起とを有し、
前記弾性部材は、前記第１の分割本体に収納されたコイルばねで、
前記掛止手段は、前記第２の分割本体に形成された掛止フックと、前記第１の分割本体に形成されて、前記掛止フックが掛止されるフック掛け部とを有した請求項１に記載の釣針カバー。
【考案の詳細な説明】
【技術分野】
【０００１】
この考案は、釣針カバー、詳しくは複数の鉤状の針（フック）を有した釣針による怪我等を防止するための釣針カバーに関する。
【背景技術】
【０００２】
従来、ルアーなどに使用されるトリプルフック（３本針）式の釣針を、安全に取り扱うためのカバーとして、例えば、特許文献１に記載された「釣針用安全カバー」などが知られている。
これは、３本の針を各々収納する上面が開口された３つのポケット部が、１２０°ピッチで放射状に一体形成された可撓性を有する合成樹脂からなるものである。また、取扱中に釣針カバーが釣針から容易に外れないように、各ポケット部の奥部分の側面には、各針を掛止する針止め突起がそれぞれ突設されている。
カバー使用時は、一方の手で釣針の軸を、他方の手で釣針用安全カバーをそれぞれ握り、３本の針を各ポケット部の針止め突起に１本ずつ掛止または掛止解除ことで、釣針に釣針カバーが着脱される。
【先行技術文献】
【特許文献】
【０００３】
【特許文献１】実用新案登録第３０３７３４５号公報
【考案の概要】
【考案が解決しようとする課題】
【０００４】
しかしながら、特許文献１の"釣針用安全カバー"は、このように可撓性を有する合成樹脂製で、使用時には、釣針の３本の針を、対応するポケット部の各針止め突起にそれぞれ縦方向（上下方向）から掛止または掛止解除しなければ、釣針に釣針カバーを着脱することができなかった。
そのため、釣針カバーの使用方法が面倒で時間がかかるとともに、カバー着脱時に針が刺さって怪我をするおそれがあった。しかも、針先に付け餌の残渣などが付着している場合には、カバー着脱時にカバーや釣針を握る指先が汚れていた。
【０００５】
そこで、考案者は鋭意研究の結果、このように上面が開口した釣針カバーに、トリプルフック式の釣針を上下方向に出し入れする構造のものに代えて、釣針を収納するカバー本体を２分割し、分割した第１の分割本体と第２の分割本体とにより、釣針をワンタッチで出し入れ可能に構成すれば、上述したすべての課題は解消されることを知見し、この考案を完成させた。
【０００６】
すなわち、この考案は、釣針への着脱をワンタッチで、簡単かつ安全に行うことができ、針先に付け餌の残渣などが付着しても、釣針へのカバー着脱時に指先が汚れにくい釣針カバーを提供することを目的としている。
【課題を解決するための手段】
【０００７】
請求項１に記載の考案は、鉤状の複数の針を有した釣針に着脱自在に装着される釣針カバーにおいて、前記釣針カバーは、釣針の軸部を露出した状態で、前記複数の針を収納するカバー本体を有し、該カバー本体は、該カバー本体を２分割した第１の分割本体と第２の分割本体とを有し、前記カバー本体には、前記第２の分割本体を、前記第１の分割本体と前記第２の分割本体とが閉口状態で合致する本体閉位置と、前記第１の分割本体と前記第２の分割本体とのあいだに、前記複数の針を抜き差しする隙間が現出する本体開位置との間で、往復スライドさせるためのスライド構造体と、前記第２の分割本体を常に前記本体開位置の方向へ付勢する弾性部材と、該弾性部材の弾性力に抗して前記本体閉位置に達した前記第２の分割本体を、前記第１の分割本体にワンタッチで掛止または掛止解除する掛止手段とが配設された釣針カバーである。
【０００８】
釣針の種類は、鉤状の針を複数有するものであれば任意である。針の使用本数は、例えば２本、３本、４本でもよい。
ここでいう"カバー本体"とは、釣針の軸部を露出した状態で、複数の針を一括して収納可能なケースである。各針をカバー本体により収納する方向は任意である。例えば、側方からでもよい。
カバー本体の素材は任意である。例えば、各種のプラスチック、各種の金属などを採用することができる。
カバー本体の形状は任意であるものの、釣針の形状に合わせた方が好ましい。
カバー本体を２分割する位置は任意である。例えば、カバー本体を縦（上下方向）に均等２分割する位置でも、偏った縦分割位置でもよい。その他、カバー本体を横に２分割する位置でもよい。
【０００９】
第１，２の分割本体の形状は任意である。カバー本体の形状、および、それの２分割の位置によって異なる。
第２の分割本体を、本体閉位置と本体開位置との間で往復スライド自在にするスライド構造体の構造は任意である。例えば、一方の分割本体にガイドレールを設け、他方の分割本体にスライダを設けてもよい。
【００１０】
ここでいう"本体閉位置"とは、カバー本体の分割方向において、第１，２の分割本体が分割口を塞ぐように合致（統合、合体）して、分割前のカバー本体の状態に戻る位置をいう。
ここでいう"本体開位置"とは、第１の分割本体からの第２の分割本体の離反により、第１の分割本体と第２の分割本体とのあいだに、複数の針を抜き差し可能な隙間（空間）が現出する位置をいう。第１の分離本体からの第２の分割本体の離反方向は任意である。例えば、カバー本体の分割方向などが挙げられる。この隙間の具体的な長さは、例えば２ｍｍ〜３０ｍｍ、好ましくは３ｍｍ１０ｍｍである。
【００１１】
弾性部材の種類は限定されない。例えば、各種のばね（コイルばねを含む）、各種のプラスチックばねなどを採用することができる。弾性部材は、第１の分割本体と第２の分割本体との間に配される。
ここでいう「第２の分割本体を、第１の分割本体にワンタッチで掛止または掛止解除する」とは、例えば、指先による１回の操作のみで、第２の分割本体を第１の分割本体に掛止したり、これとは反対に、第１の分割本体と第２の分割本体との掛止状態を解除することを意味する。
掛止手段の構造は、第１の分割本体と第２の分割本体とを、ワンタッチで掛止および掛止解除が可能なものであれば限定されない。
【００１２】
また、請求項２に記載の考案は、前記釣針は、前記軸部を中心にして、３本の前記針が１２０°ピッチで放射状に配されたトリプルフックで、前記第１の分割本体と前記第２の分割本体とは、前記カバー本体を縦に２分割したもので、前記第１の分割本体は、上板の中央部に、この第１の分割本体の開口縁と連通する前記軸部の挿通口が形成されて、前記３本の針を個別に収納する３つのポケット部が、平面視して前記挿通口を中心として１２０°ピッチで放射状に配され、前記３つのポケット部のうち、２つの該ポケット部は、前記第１の分割本体の開口部分に、前記軸部の挿通口を中間にして対配置されるとともに、残った前記ポケット部と連通する１本の針抜き差しスリットが、前記上板の挿通口と連通して形成され、前記第２の分割本体は、前記２つのポケット部の外側の形成板を構成する蓋体で、前記スライド構造体は、前記第１の分割本体に形成されて、前記カバー本体の分割方向へ延びるスライド溝と、前記第２の分割本体に形成されたスライド突起とを有し、前記弾性部材は、前記第１の分割本体に収納されたコイルばねで、前記掛止手段は、前記第２の分割本体に形成された掛止フックと、前記第１の分割本体に形成されて、前記掛止フックが掛止されるフック掛け部とを有した請求項１に記載の釣針カバーである。
【００１３】
ポケット部の形状は、対応する針を収納可能であれば任意である。
掛止フックおよびフック掛け部の各形状は、互いにワンタッチで掛止および掛止解除が可能であれば、それぞれ任意である。
３つのポケット部のうちの２つは、カバー本体が開いた時にのみ現出し、残ったポケット部は、カバー本体の上板に形成された針抜き差しスリットを介して、常にその上部が露出している。カバー本体を閉じれば、釣針の軸部が挿通口から突出した状態で、第１の分割本体の開口部が、その蓋体である第２の分割本体により閉蓋される。そのため、この閉蓋状態では、釣針がカバー本体から抜け出ることはない。
【考案の効果】
【００１４】
請求項１に記載の考案によれば、釣針への釣針カバーの装着時、掛止手段による第１の分割本体と第２の分割本体との掛止状態を、例えば、指先でのワンタッチ操作により解除する。これにより、弾性部材の弾性力の作用によって、第２の分割本体が、スライド構造体を介して本体開位置へスライドし、このカバー本体が２分割される。これにより、第１の分割本体と第２の分割本体とのあいだに所定の隙間が現出する。この隙間に、軸部を露出した状態で複数の針を差し込む。
その後、例えば、指先のワンタッチ操作により、第２の分割本体を弾性部材の弾性力に抗して先ほどとは反対方向へ押し込む。この第２の分割本体が本体閉位置に達すると、第１、２の分割本体が分割前の閉口状態で合致するとともに、掛止手段によって第１の分割本体と第２の分割本体とが掛止される。これにより、軸部を露出した状態で、釣針の各針がカバー本体に収納される。
【００１５】
一方、釣針カバーから釣針を外す際には、例えば、指先のワンタッチ操作で掛止手段による第１の分割本体と第２の分割本体との掛止状態を解除する。これにより、弾性部材の弾性力によって第２の分割本体が本体開位置までスライドする。その結果、第１，２の分割本体のあいだに所定の隙間が現出する。その後、釣針の軸部を握り、複数の針（釣針）をこの隙間から抜き取る。
これにより、釣針カバーの釣針への着脱をワンタッチで簡単かつ安全に行うことができ、また仮に針先に付け餌の残渣などが付着しても、従来品の場合のような、各針を対応するポケット部の針止め突起に掛止または掛止解除するという残渣の飛び散りを伴う操作を行わないため、カバーや釣針を握る指先が汚れにくい。
【００１６】
特に、請求項２に記載の考案によれば、釣針カバーへのトリプルフック式の装着時、例えば、指先でのワンタッチ操作により、掛止フックとフック掛け部との掛止状態を解除する。これによって、コイルばねのばね力により第２の分割本体が、カバー本体の分割方向へ延びたスライド溝とスライド突起とを介して、本体開位置へスライドし、カバー本体が縦に２分割される。
このとき、第１の分割本体の開口部分と蓋状の第２の分割本体とのあいだには、３つのポケット部と連通する隙間が現出する。その後、軸部を握った状態で、上方から隙間の各ポケット部に、トリプルフックの各針をそれぞれ差し込む。
【００１７】
次いで、例えば、指先のワンタッチ操作により、第２の分割本体をコイルばねのばね力に抗して、先ほどとは反対方向へ押し込む。第２の分割本体が本体閉位置に達したとき、この第１の分割本体の開口部分が第２の分割本体により閉蓋されるとともに、掛止フックがフック掛け部に掛止される。これにより、挿通口を通して軸部を外部露出した状態で、カバー本体がトリプルフックを収納して閉じる。よって、釣針カバーが釣針に装着される。
【００１８】
一方、釣針カバーから釣針を外す際には、例えば、指先の操作により掛止フックとフック掛け部との掛止状態を解除する。これにより、コイルばねのばね力で第２の分割本体が本体開位置へスライドして第１の分割本体が開蓋し、３つのポケット部と連通する隙間が現出する。その後、釣針の軸部を握り、トリプルフックを各ポケットから抜き取る。
これにより、トリプルフック式の釣針への釣針カバーの着脱を、ワンタッチで簡単かつ安全に行うことができる。
【図面の簡単な説明】
【００１９】
【図１】この考案の実施例１に係る釣針カバーへの釣針の装着状態を示す斜視図である。
【図２】この考案の実施例１に係る釣針カバーへの釣針の装着途中状態を示す斜視図である。
【図３】この考案の実施例１に係る釣針カバーの一部を構成する本体ケースの縦拡大断面図である。
【図４】この考案の実施例１に係る釣針カバーの一部を構成する本体ケースを開口方向から視た状態を示す正面図である。
【図５】この考案の実施例１に係る釣針カバーの一部を構成する蓋体の拡大斜視図である。
【図６】（ａ）は、この考案の実施例１に係る釣針カバーの釣針差し込み状態を示す斜視図である。（ｂ）は、この考案の実施例１に係る釣針カバーの釣針差し込み完了状態を示す斜視図である。（ｃ）は、この考案の実施例１に係る釣針カバーの閉蓋状態を示す斜視図である。（ｄ）は、この考案の実施例１に係る釣針カバーの釣針抜き取り状態を示す斜視図である。
【考案を実施するための形態】
【００２０】
以下、この考案の実施例を具体的に説明する。ここでは、ルアーに用いられるトリプルフック式の釣針用の釣針カバーを例とする。
【実施例】
【００２１】
図１および図２に示すように、この考案の実施例１に係る釣針カバー１０は、軸部１１を中心にして、複数本の針（フック）１２を有するルアーＲ用の釣針１３に着脱自在に装着されるケース状のものである。
この釣針１３は、３本の鉤状の針１２が１２０°ピッチで放射配置されたトリプルフックである。
釣針カバー１０は、軸部１１を露出した状態で、３本の針１２を収納するプラスチック製のカバー本体１４を有する。カバー本体１４は、これを縦に２分割した本体ケース（第１の分割本体）１５と、この本体ケース１５の開口部分を塞ぐ蓋体（第２の分割本体）１６とからなる。
【００２２】
図３および図４に示すように、本体ケース１５は、先細り状の第１〜第３のポケット部１７Ａ〜１７Ｃが、平面視して１２０°ピッチで配された星形（略Ｙ字状）の小容器で、各ポケット部１７Ａ〜１７Ｃには、対応する針１２がそれぞれ抜き差し可能に収納される。
本体ケース１５は、それぞれ星形をした上板１８および下板１９と、第１−第２のポケット部１７Ａ、１７Ｂの連続する側面に配された、平面視して略１２０°に屈曲する第１の側板２０と、第１−第３のポケット部１７Ａ、１７Ｃの連続する側面に配された、平面視して略１２０°に屈曲する第２の側板２１とを有している。また、第２−第３のポケット部１７Ｂ、１７Ｃの連続する側面全体には、本体ケース１５の開口２２が形成されている。開口２２は、側面視して矩形状の空間で、軸部１１の後述する挿通口２３を中間にして対配置されている。
【００２３】
このうち、上板１８の中央部には、本体ケース１５の開口２２の縁と連通して釣針１３の軸部１１が挿通される長孔状の挿通口２３が形成されている。挿通口２３は、第１のポケット部１７Ａの先方向へ延びている。また、上板１８のうち、第１のポケット部１７Ａ側の部分には、挿通口２３と連通する１本の針抜き差しスリット２４が形成されている。針抜き差しスリット２４は、第１のポケット部１７Ａの先方向へ延びるとともに、第１のポケット部１７Ａの内部空間と連通している。第２，第３のポケット部１７Ｂ、１７Ｃの基端部の内面上部には、上下方向へ平行に延びた２本の補強リブ２５がそれぞれ一体形成されている。
【００２４】
第１のポケット部１７Ａの内部空間の下部は、下板１９と平行な仕切り板２６により区画されている。仕切り板２６の下面には、カバー本体１４の分割方向へ延びる細いスライド溝２７が形成されている。このスライド溝２７は、後述するスライド突起２８のスライドガイドとなる。
また、仕切り板２６により、第１のポケット部１７Ａの下部空間には、蓋体１６を常に後述する本体開位置ｂの方向（一側方）へ付勢するコイルばね（弾性部材）２９のばね収納空間３０が形成される。ばね収納空間３０は、これを形成する各側板２０，２１の下部が段差状に外方へ膨出することで、この内部空間の他の部分より広がっている。また、このばね収納空間３０の奧面には、コイルばね２９の一端部に嵌入されるばね固定突起３１が突設されている。
【００２５】
第１のポケット部１７Ａの下部のうち、このポケット部１７Ａの基端部分は左右に突出している。これにより、底面視した第１のポケット部１７Ａは略Ｔ字状となり、ばね収納空間３０の両側には、一対のフック挿通空間３２が連通状態で配されることとなる。各フック挿通空間３２の外側形成板３２ａには、各内面の全長にわたり、後述する掛止フック（掛止手段）３９の柄部３３を案内するガイド溝３２ｂがそれぞれ形成されている。蓋体１６が本体ケース１５に対して近接または離反する際に、各掛止フック３９の柄部３３が、対応するガイド溝３２ｂに沿ってスライドする。
各側板２０，２１の下部のうち、第１のポケット部１７Ａの突出した基端部分から長さ方向の中間部にかけては、左右一対の矩形状の爪押し穴３４が配されている。カバー本体１４の閉蓋時、各爪押し穴３４からは、後述する一対の掛止フック３９の各掛止爪３５がそれぞれ突出される。このとき、各掛止爪３５は、左右のフック挿通空間３２の形成板の上縁部（フック掛け部、掛止手段）３６にそれぞれ掛止される。
カバー本体１４の下板１９のうち、第１のポケット部１７Ａの基端部付近から長さ方向の中間部にかけては、細長いストッパスライド孔３７が形成されている。このストッパスライド孔３７には、スライド突起２８の小突起状のストッパ２８ａが、スライド自在に配される。また、下板１９の中央部の外面（下面）には、各種アクセサリー（ここでは、小型のカラビナフック３８）を連結するための小リング１９ａが一体形成されている。
【００２６】
図１、図２および図５に示すように、蓋体１６は、平面視して略１２０°に屈曲した矩形状の板材で、その屈曲部には丸みがある。蓋体１６の下部のうち、その屈曲部分の内側には、１本の細いスライド突起２８と、その両側方の２本の掛止フック３９とが、互いに離間状態で平行に突設されている。スライド突起２８の先端部の下面には、小片のストッパ２８ａが一体形成されている。
また、各掛止フック３９は、それぞれ細い柄部３３の先端につぼみ状の掛止爪３５が一体形成されたものである。これらのスライド溝２７とスライド突起２８とにより、この蓋体１６を、本体ケース１５と蓋体１６とが閉口状態で合致する本体閉位置ａと、本体ケース１５と蓋体１６とのあいだに、トリプルフック１２を抜き差しする隙間Ｓが現出する本体開位置ｂとの間で、往復スライドさせるスライド構造体４０が構成される。
【００２７】
次に、図１〜図６を参照して、実施例１の釣針カバー１０の使用方法を説明する。なお、使用前の釣針カバー１０は、カバー本体１４が蓋体１６により閉蓋しているものとする。
トリプルフック１２式の釣針１３への釣針カバー１０の装着時には、まず、各爪押し穴３４から突出した各掛止爪３５を指先で押し込み、各掛止爪３５と、左右のフック挿通空間３２の形成板の上縁部３６との掛止状態を解除する（図６（ａ））。これにより、コイルばね２９のばね力の作用で、蓋体１６が、スライド溝２７とスライド突起２８とを介して本体開位置ｂまでスライドし、カバー本体１４が本体ケース１５と蓋体１６とに縦へ２分割される。このとき、本体ケース１５と蓋体１６とのあいだには、３つのポケット部１７Ａ、１７Ｂ、１７Ｃと連通する隙間Ｓが現出する。なお、各掛止フック３９を伴う蓋体１６のスライドは、スライド突起２８のストッパ２８ａが、ストッパスライド孔３７の基端形成部分に当接することで停止する。
【００２８】
その後、釣針１３の軸部１１を握った状態で、上方から隙間Ｓの各ポケット部１７Ａ、〜１７Ｃに、トリプルフックの対応する針１２をそれぞれ差し込む（図６（ｂ））。すなわち、上板１８の挿通口２３に軸部１１を差し込みながら、１本目の針１２は、連通する挿通口２３と針抜き差しスリット２４とを介して、第１のポケット部１７Ａに差し込み、２本目の針１２は、隙間Ｓのうち、第２のポケット部１７Ｂと蓋体１６の一側部とのあいだに差し込むとともに、３本目の針１２を、隙間Ｓのうち、第３のポケット部１７Ｃと蓋体１６の他側部とのあいだに差し込む。
その後、指先のワンタッチ操作により、蓋体１６をコイルばね２９のばね力に抗して、先ほどとは反対方向へ押し込む。これにより、蓋体１６が本体閉位置ａに達したとき、本体ケース１５の開口部分が蓋体１６により閉蓋されるとともに、各掛止フック３９の掛止爪３５が、先ほどの左右のフック挿通空間３２の形成板の上縁部３６に掛止される。これにより、挿通口２３を通して軸部１１を外部露出した状態で、カバー本体１４がトリプルフック１２を収納して閉じる（図６（ｃ））。よって、釣針カバー１０が釣針１３に装着される。
【００２９】
一方、釣針カバー１０をこの釣針１３から外す際には、上述したように指先の操作により掛止フック３９とフック１２掛け部との掛止状態を解除することで、コイルばね２９のばね力で蓋体１６が本体開位置ｂへとスライドする（図６（ｄ））。これにより、本体ケース１５が開蓋して、３つのポケット部１７Ａ〜１７Ｃと連通する隙間Ｓが現出する。その後、釣針１３の軸部１１を握り、各針１２を対応するポケット部１７Ａ〜１７Ｃから抜き取る。
その結果、トリプルフック式の釣針１３への釣針カバー１０の着脱を、ワンタッチで簡単かつ安全に行うことができる。また、仮に針先に図示しない付け餌の残渣などが付着しても、従来品の場合のような、各針を対応するポケット部の針止め突起に掛止または掛止解除するという残渣の飛び散りを伴う操作がないため、釣針カバー１０や釣針１３を握る指先が汚れにくい。
【産業上の利用可能性】
【００３０】
この考案の釣針カバーは、複数の鉤状の針を有した釣針による怪我等を防止するための釣針カバーとして有用な技術である。
【符号の説明】
【００３１】
１０  釣針カバー、
１１  軸部、
１２  針、
１３  釣針、
１４  カバー本体、
１５  本体ケース（第１の分割本体）、
１６  蓋体（第２の分割本体）、
１７Ａ〜１７Ｃ  ポケット部、
１８  上板、
２３  挿通口、
２４  針抜き差しスリット、
２７  スライド溝、
２８  スライド突起、
２９  コイルばね（弾性部材）、
３６  上縁部（フック掛け部、掛止手段）、
３９  掛止フック（掛止手段）、
４０  スライド構造体、
Ｓ  隙間、
ａ  本体閉位置、
ｂ  本体開位置。
【図１】
0003222634.tif 000003
【図２】
0003222634.tif 000004
【図３】
0003222634.tif 000005
【図４】
0003222634.tif 000006
【図５】
0003222634.tif 000007
【図６】
0003222634.tif 000008